(57)【要約】【課題】振動源で発生した振動を使用者の頭皮に伝え易くすることができるヘアーブラシを提供する。【解決手段】ブラシ部２０内に設けられブラシ部２０を振動させる振動発生器２２４と、ブラシ部２０に設けられた弾性変形可能な弾性ベース２１２と、弾性ベース２１２から突出した複数のブラシピン２１３とを備え、複数のブラシピン２１３は、複数のブラシピン２１３の一部のブラシピン２１３に押圧力が作用した場合に、その一部のブラシピン２１３が押圧作用範囲の中心に集合する。【選択図】図２
2019055121.tif 000002
【特許請求の範囲】
【請求項１】
ブラシ部内に設けられ前記ブラシ部を振動させる振動発生部と、
前記ブラシ部に設けられた弾性変形可能なベース部と、
前記ベース部から突出した複数のブラシピンと
を備え、
前記複数のブラシピンは、前記複数のブラシピンの一部の前記ブラシピンに押圧力が作用した場合に、前記一部のブラシピンが押圧作用範囲の中心に集合するヘアーブラシ。
【請求項２】
請求項１に記載のヘアーブラシであって、
前記ブラシピンと前記ベース部との少なくとも一方は、植物性のオイルが含浸されているヘアーブラシ。
【請求項３】
請求項１又は２に記載のヘアーブラシであって、
前記ブラシ部における前記ベース部の周辺部に設けられたイオン放出口と、
イオンを発生して前記イオン放出口から前記ブラシ部の外に放出するイオン発生部と
を備えるヘアーブラシ。
【請求項４】
請求項３に記載のヘアーブラシであって、
前記イオン発生部によりイオンを発生させるイオン発生モードと、前記イオン発生部によりイオンを発生させると共に前記振動発生部により前記ブラシ部を振動させるイオン発生及び振動発生モードとを選択するための操作部を備えるヘアーブラシ。
【請求項５】
請求項４に記載のヘアーブラシであって、
前記操作部は、
電源がＯＦＦの第１の位置から、前記イオン発生モードを選択する第２の位置に移動し、前記第２の位置から、前記イオン発生及び振動発生モードを選択する第３の位置に移動するヘアーブラシ。
【発明の詳細な説明】
【技術分野】
【０００１】
本発明は、ヘアーブラシに関する。
【背景技術】
【０００２】
振動式のヘアーブラシとして、ケーシング内に設けられたモータが発生させる振動をブリッスルに伝達させるものが知られている（例えば、特許文献１参照）。
【先行技術文献】
【特許文献】
【０００３】
【特許文献１】特開２０１０−２０１９１４号公報
【発明の概要】
【発明が解決しようとする課題】
【０００４】
振動式のヘアーブラシには、振動源で発生した振動を使用者の頭皮に伝え易くすることが要求されている。
【０００５】
本発明が解決しようとする課題は、振動源で発生した振動を使用者の頭皮に伝え易くすることができるヘアーブラシを提供することである。
【課題を解決するための手段】
【０００６】
本発明は、ブラシ部内に設けられ前記ブラシ部を振動させる振動発生部と、前記ブラシ部に設けられた弾性変形可能なベース部と、前記ベース部から突出した複数のブラシピンと
を備え、前記複数のブラシピンは、前記複数のブラシピンの一部に押圧力が作用した場合に、前記複数のブラシピンの一部が押圧作用範囲の中心に集合する。
【発明の効果】
【０００７】
本発明によれば、振動源で発生した振動を使用者の頭皮に伝え易くすることができる。
【図面の簡単な説明】
【０００８】
【図１】図１は、本発明の一実施形態に係るヘアーブラシを示す平面図である。
【図２】図２は、図１のヘアーブラシにおいてブラシユニットを基部から取り外した状態を示す平面図である。
【図３】図３は、図１のヘアーブラシの作用を示す平面図である。
【発明を実施するための形態】
【０００９】
以下、図面を参照して本発明の一実施形態に係るヘアーブラシ１０について説明する。なお、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００１０】
図１は、本発明の一実施形態に係るヘアーブラシ１０を示す平面図である。この図に示すヘアーブラシ１０は、振動式のヘアーブラシであり、使用者により保持される保持部１２と、ブラシユニット２１を備えるブラシ部２０とを備える。保持部１２は、棒状に構成されており、スイッチ１６が設けられている。この保持部１２の軸方向一端（以下、先端という）には、ブラシ部２０が接合されている。
【００１１】
スイッチ１６は、電源、振動、及びイオン発生のＯＮ／ＯＦＦを切り替えるスライドスイッチである。スイッチ１６は、電源、振動、及びイオン発生の全てをＯＦＦにする「ＯＦＦ」位置と、電源及びイオン発生をＯＮにする「イオンＯＮ」位置と、電源、振動、及びイオン発生の全てをＯＮにする「振動／イオンＯＮ」位置とに、記載した順にスライド可能である。
【００１２】
ブラシ部２０は、ブラシユニット２１と、基部２２とを備える。ブラシユニット２１は、基部２２に対して着脱可能に取り付けられている。基部２２は、四隅が円弧状の矩形状に構成されている。この基部２２の長手方向一端に保持部１２の先端が接合されている。
【００１３】
ブラシユニット２１は、ベース２１１と、弾性ベース２１２と、ブラシピン２１３とを備える。ベース２１１は、使用者の押圧力では変化しない程度に高剛性である樹脂製のベースである。このベース２１１は、四隅が円弧状の矩形状に構成されている。このベース２１１の一方の面は平坦に構成されている。ベース２１１の他方の面の外周縁部には、楕円状の枠部２１１Ａが形成されている。
【００１４】
弾性ベース２１２は、使用者の押圧力で容易に弾性変形する素材（例えば、ゴム）で構成されたベースである。この弾性ベース２１２は、四隅が円弧状の矩形状に構成されている。この弾性ベース２１２は、ベース２１１の枠部２１１Ａに嵌め込まれており、枠部２１１Ａから上側（基部２２の反対側）に膨らんでいる。弾性ベース２１２の長手方向（図中矢印Ｙ方向）に対して直交する断面の形状は、円弧状であり、この断面の中央部が頂点になっている。
【００１５】
多数のブラシピン２１３は、弾性ベース２１２上に規則的に配されている。多数のブラシピン２１３は、多重の環状の配列で配されている。最外周のブラシピン２１３は、枠部２１１Ａの近傍に枠部２１１Ａに沿って所定間隔（例えば、１ｃｍ未満）で配されている。環状に配されたブラシピン２１３と、その外周側に環状に配されたブラシピン２１３との間隔も所定間隔（例えば、１ｃｍ未満）に設定されている。
【００１６】
ここで、ブラシピン２１３は、弾性ベース２１２の全域に狭い（例えば、１ｃｍ未満）間隔で配されている。さらに、ブラシピン２１３の配列は、複数のブラシピン２１３を介して弾性ベース２１２が押圧された場合に、押された複数のブラシピン２１３およびその周囲の複数のブラシピン２１３が、押圧範囲の中心に集中するように配されている。この点については後述する。
【００１７】
弾性ベース２１２およびブラシピン２１３には、植物性のオイルが含浸されている。この植物性のオイルとしては椿オイルを例示できる。
【００１８】
図２は、ブラシユニット２１を基部２２から取り外した状態を示す平面図である。この図に示すように、基部２２は、ハウジング２２１と、電源部２２２と、ロック解除機構２２３と、振動発生器２２４と、イオン発生器２２５とを備える。このハウジング２２１は、使用者の押圧力では変化しない程度に高剛性である樹脂製のハウジングである。このハウジング２２１は、四隅が円弧状の矩形状に構成されている。このハウジング２２１の一方の面は平坦に形成され、その外周縁部には、楕円状の枠部２２１Ａが形成されている。また、ハウジング２２１の一方の平坦面には、電源部２２２が設けられており、この電源部２２２に電池が装填される。
【００１９】
ブラシユニット２１のベース２１１の長手方向一端（保持部１２側）には一対の爪部（係合部）２１１Ｂが設けられている。一方、基部２２のハウジング２２１の長手方向一端（保持部１２側）には一対の開口（被係合部）２２１Ｂが形成されている。一対の開口２２１Ｂは、一対の爪部２１１Ｂに対応して設けられており、爪部２１１Ｂは開口２２１Ｂに挿入される。
【００２０】
ブラシユニット２１のベース２１１の長手方向他端には爪部２１１Ｃが設けられている。一方、基部２２のハウジング２２１の長手方向他端には開口２２１Ｃが形成されている。開口２２１Ｂは、爪部２１１Ｃに対応して設けられており、爪部２１１Ｃは開口２２１Ｃに挿入される。
【００２１】
ここで、基部２２のハウジング２２１の長手方向他端にはロック解除機構２２３が設けられている。このロック解除機構２２３は、操作部２２３Ａと、係合部２２３Ｂとを備える。操作部２２３Ａは、ハウジング２２１の外面に露出しており、使用者による押し下げが可能である。係合部２２３Ｂは、開口２２１Ｃに挿入された爪部２１１Ｃが係合する。操作部２２３Ａが使用者により押し下げられた場合に、係合部２２３Ｂが基部２２の長手方向中央側へ移動し、爪部２１１Ｃと係合部２２３Ｂとの係合が解除される。これにより、ブラシユニット２１が基部２２から取り外し可能となる。
【００２２】
振動発生器２２４は、不図示のモータを備える。このモータは、基部２２のハウジング２２１における電源部２２２とロック解除機構２２３との間に配されている。このモータの回転軸には、振動子が固定されている。これにより、モータが駆動されると基部２２に振動が発生する。
【００２３】
イオン発生器２２５は、基部２２のハウジング２２１の長手方向一端に設けられている。このイオン発生器２２５は、放電電極と、この放電電極に高電圧を印加する高電圧印加部とを備える（共に図示省略）。基部２２のハウジング２２１の長手方向一端には開口２２１Ｄが形成されている。イオン発生器２２５は、マイナスイオンを発生する。イオン発生器２２５で発生されたマイナスイオンは、開口２２１Ｄからハウジング２２１外へ放出されて使用者の毛髪や頭皮に至る。
【００２４】
図３は、本実施形態に係るヘアーブラシ１０の作用を示す平面図である。この図に示すように、ヘアーブラシ１０の使用時には、多数のブラシピン２１３のうちの一部に使用者の頭部から押圧力が作用する。この際、押圧力が作用した複数のブラシピン２１３を介して弾性ベース２１２に押圧力が作用することで、弾性ベース２１２が弾性変形する。この弾性ベース２１２の弾性変形により、押圧力が作用した複数のブラシピン２１３が、圧力作用範囲の中心に集合する。この複数のブラシピン２１３の動作により、振動発生器２２４と使用者の頭部との間の振動伝達率が向上する。従って、振動発生器２２４で発生した振動を使用者の頭部に効率よく伝達することができるので、振動発生器２２４のモータの出力を低く抑えることができ、部品コストを低減できる。
【００２５】
また、本実施形態に係るヘアーブラシ１０では、弾性ベース２１２およびブラシピン２１３に植物性のオイルを含浸させたことにより、使用者の毛髪や頭皮に植物性のオイルを供給できる。
【００２６】
また、本実施形態に係るヘアーブラシ１０は、ブラシ部２０における弾性ベース部２１２の周辺部に設けられた開口２２１Ｄが形成され、イオンを発生して開口２２１Ｄからブラシ部２０の外に放出するイオン発生器２２５を備える。これにより、使用者の毛髪や頭皮にイオンを供給できる。
【００２７】
また、本実施形態に係るヘアーブラシ１０は、イオン発生器２２５によりイオンを発生させるイオン発生モードと、イオン発生器２２５によりイオンを発生させると共に振動発生器２２４によりブラシ部２０を振動させるイオン発生及び振動発生モードとを選択するためのスイッチ１６を備える。これにより、使用者は、イオンを発生させブラシ部２０を振動させない使用状態と、イオンを発生させると共にブラシ部２０を振動させる使用状態とを選択できる。
【００２８】
ここで、スイッチ１６は、電源がＯＦＦの第１の位置から、上記イオン発生モードを選択する第２の位置に移動し、上記第２の位置から、上記イオン発生及び振動発生モードを選択する第３の位置に移動する。これによって、ブラシ部２０を振動させることを望まない使用者が、ブラシ部２０を振動させることなくイオン発生モードを選択できる。
【００２９】
なお、以上に説明した実施形態は、本発明の理解を容易にするために記載されたものであって、本発明を限定するために記載されたものではない。したがって、上記の実施形態において開示された各要素は、本発明の技術的範囲に属する全ての設計変更や均等物をも含む趣旨である。例えば、上述の実施形態では、棒状の保持部１２を備えるヘアーブラシ１０を例に挙げたが、棒状の保持部１２を備えることは必須ではなく、ブラシ部２０を保持するように構成してもよい。
【００３０】
また、上述の実施形態では、ブラシ部２０を棒状に構成したが、円状に構成してもよい。また、上述の実施形態では、マイナスイオンを放出するように構成したが、プラスイオンを放出してもよく、あるいは、マイナスイオンとプラスイオンとの双方を放出するように構成してもよい。
【００３１】
また、上述の実施形態では、弾性ベース２１２およびブラシピン２１３に植物性のオイルを含浸させたが、これらの何れか一方でもよい。さらには、弾性ベース２１２およびブラシピン２１３の双方に植物性のオイルを含浸させなくてもよい。
【符号の説明】
【００３２】
１０  ヘアーブラシ、１２  保持部、１６  スイッチ、２０  ブラシ部、２１  ブラシユニット、２１１  ベース、２１１Ａ  枠部、２１１Ｂ  爪部、２１１Ｃ  爪部、２１２  弾性ベース、２１３  ブラシピン、２２  基部、２２１  ハウジング、２２１Ａ  枠部、２２１Ｂ  開口、２２１Ｃ  開口、２２１Ｄ  開口、２２２  電源部、２２３  ロック解除機構、２２３Ａ  操作部、２２３Ｂ  係合部、２２４  振動発生器、２２５  イオン発生器
【図１】
2019055121.tif 000003
【図２】
2019055121.tif 000004
【図３】
2019055121.tif 000005